(57)【要約】【課題】二重ロック機能を有するモルティスロックを提供する。【解決手段】本発明によるモルティスロックは、ドアから出入りし、ロック機能を行うデッドボルトと、前記ドアに設けられたハンドルによって前記ドアから出入りするラッチボルトと、前記デッドボルトが突出すれば、前記ラッチボルトを突出状態に維持させ、前記ラッチボルトをロック状態に維持させるロック部材とを備える。本発明によるモルティスロックは、デッドボルトによってドアが閉まった状態で強制的にドアを開くためには、デッドボルトだけでなく、ラッチボルトをも破損させて、強制的にドアを開くことができるので、保安性が向上する効果があり、また、ドアの強制操作によるデッドボルトの破損や誤動作及び動作不良を低減することができるという効果がある。【選択図】図２
2006336454.tif 000002
【特許請求の範囲】
【請求項１】
ドアから出入りし、ロック機能を行うデッドボルトと、
前記ドアに設けられたハンドルによって前記ドアから出入りするラッチボルトと、
前記デッドボルトが突出すれば、前記ラッチボルトを突出状態に維持させ、前記ラッチボルトをロック状態に維持させるロック部材とを備えることを特徴とするモルティスロック。
【請求項２】
前記ロック部材は、前記デッドボルトが突出すれば、前記デッドボルトによって回転して前記ラッチボルトの後方に係止するロック回転子を備えることを特徴とする請求項１に記載のモルティスロック。
【請求項３】
前記ドアには、内部に前記ロック回転子が位置するケースを備え、前記ラッチボルトは、前記ケースの外部に露出する露出部と、前記ケースの内部に位置し、前記露出部と一体に形成されるスライディング部とを備えることを特徴とする請求項２に記載のモルティスロック。
【請求項４】
前記ケースの内部には、前記スライディング部の移動を支持し、前記ハンドルによって前・後進するラッチスライドと、
前記ラッチスライドに回転自在に設けられ、前記デッドボルトが前記ケースの内部に挿入された状態なら、前記ラッチボルトに係止する係止具とを備えることを特徴とする請求項３に記載のモルティスロック。
【請求項５】
前記係止具の一側には、前記ロック回転子がロック方向に回転すれば、前記係止具を動作させて、前記係止具が前記ラッチボルトの前記スライディング部から係止状態が解除されるようにする突出突起が設けられることを特徴とする請求項４に記載のモルティスロック。
【請求項６】
前記係止具は、前記ラッチスライドにバネによって前記ラッチボルトの前記スライディング部内側に弾性支持されることを特徴とする請求項５に記載のモルティスロック。
【請求項７】
前記ロック回転子は、前記デッドボルトと接触し、中間部分が前記ケースに軸支され、一端に突出形成され、前記ラッチボルトの前記スライディング部に出入りするロック突起を備えることを特徴とする請求項５に記載のモルティスロック。
【請求項８】
前記デッドボルトの一側には、前記ロック回転子と接触する接触部が突出形成されることを特徴とする請求項７に記載のモルティスロック。
【請求項９】
前記スライディング部には、一端が前記スライディング部に支持され、他端が前記ケースに設けられた支持台に支持されたバネが設けられることを特徴とする請求項４に記載のモルティスロック。
【請求項１０】
前記ラッチボルトの一側周辺には、前記ラッチボルトの動作状態を感知するスイッチが設けられることを特徴とする請求項１に記載のモルティスロック。
【請求項１１】
ドアの内部に位置するケースと、
前記ドアから出入りし、ロック機能を行うデッドボルトと、
前記ドアに設けられたハンドルによって前記ドアから出入りする露出部と、前記ケースの内部に位置し、前記露出部と一体に形成されたスライディング部とを含むラッチボルトと、
前記ケースの内部に前記デッドボルトによって回転自在に設けられ、前記デッドボルトが突出すれば、前記ラッチボルトを突出状態に維持させて、前記ラッチボルトをロック状態に維持させるように、前記ラッチボルトの前記スライディング部に係止するロック回転子とを備えることを特徴とするモルティスロック。
【請求項１２】
前記ケースの内部には、前記スライディング部の移動を支持し、前記ハンドルによって前・後進するラッチスライドと、前記ラッチスライドに回転自在に設けられ、前記デッドボルトが前記ケースの内部に挿入された状態なら、前記ラッチボルトの前記スライディング部に係止する係止具とを備えることを特徴とする請求項１１に記載のモルティスロック。
【請求項１３】
前記係止具の一側には、前記ロック回転子がロック方向に回転すれば、前記係止具を動作させて、前記係止具が前記ラッチボルトの前記スライディング部から係止状態が解除されるようにする突出突起が設けられ、前記係止具は、前記ラッチスライドにバネによって前記ラッチボルトの前記スライディング部内側に弾性支持されることを特徴とする請求項１２に記載のモルティスロック。
【請求項１４】
前記ロック回転子は、前記デッドボルトの一側に突出形成された接触部と接触し、中間部分が前記ケースに軸支され、一端に突出形成され、前記ラッチボルトの前記スライディング部に出入りするロック突起を備えることを特徴とする請求項１３に記載のモルティスロック。
【請求項１５】
前記スライディング部には、一端が前記スライディング部に支持され、他端が前記ケースに設けられた支持台に支持されたバネが設けられることを特徴とする請求項１２に記載のモルティスロック。
【請求項１６】
前記ケースの内部には、前記ラッチボルトの動作状態を感知するスイッチが設けられることを特徴とする請求項１１に記載のモルティスロック。
【請求項１７】
ドアの内部に位置するケースと、
前記ドアから出入りし、ロック機能を行うデッドボルトと、
前記ドアに設けられたハンドルによって前記ドアから出入りする露出部と、前記ケースの内部に位置し、前記露出部と一体に形成されたスライディング部とを含むラッチボルトと、
前記ケースの内部に回転自在に設けられ、前記デッドボルトが突出すれば、前記ラッチボルトを突出状態に維持させて、前記ラッチボルトをロック状態に維持させるように、前記デッドボルトによって回転し、前記ラッチボルトの前記スライディング部に係止するロック回転子と、
前記ケースの内部に設けられ、前記スライディング部の移動を支持し、前記ハンドルによって前・後進するラッチスライドと、
前記ラッチスライドに回転自在に設けられ、前記デッドボルトが前記ケースの内部に挿入された状態なら、前記ラッチボルトに係止する係止具とを備えることを特徴とするモルティスロック。
【請求項１８】
前記係止具の一側には、前記ロック回転子がロック方向に回転すれば、前記係止具を動作させて、前記係止具が前記ラッチボルトの前記スライディング部から係止状態が解除されるようにする突出突起が設けられることを特徴とする請求項１７に記載のモルティスロック。
【請求項１９】
前記係止具は、前記ラッチスライドにバネによって前記ラッチボルトの前記スライディング部内側に弾性支持されることを特徴とする請求項１８に記載のモルティスロック。
【請求項２０】
前記ロック回転子は、前記デッドボルトに形成された接触部と接触し、中間部分が前記ケースに軸支され、一端に突出形成され、前記スライディング部に出入りするロック突起を備えることを特徴とする請求項１９に記載のモルティスロック。
【請求項２１】
前記スライディング部には、一端が前記スライディング部に支持され、他端が前記ケースに設けられた支持台に支持されたバネが設けられることを特徴とする請求項２０に記載のモルティスロック。
【請求項２２】
前記ケースの内部には、前記ラッチボルトの動作状態を感知するスイッチが設けられることを特徴とする請求項１７に記載のモルティスロック。
【発明の詳細な説明】
【技術分野】
【０００１】
本発明は、モルティスロックに関し、より詳細には、デッドボルトがロック状態となれば、ラッチボルトもまたロック状態となるようにした二重ロック機能を有するモルティスロックに関する。
【背景技術】
【０００２】
一般に、モルティスロックは、各種ドアに設けられるものである。モルティスロックは、通常、デッドボルトとラッチボルトとを備える。デッドボルトは、ロック機能のために使われ、ラッチボルトは、ドアハンドルによって操作され、ドアから出入りするように設けられている。このようなモルティスロックに関する従来技術には、特許文献１及び特許文献２などが挙げられる。
【０００３】
従来のモルティスロックにおいて、デッドボルトは、ユーザによって手動又は自動でロック機能をする。これに対して、ラッチボルトは、単純な出入り機能だけを行う。したがって、保安性が要求されるモルティスロックは、外部侵入者がデッドボルトだけを強制破損すれば、ドアが開けるので、保安的に脆弱である。
【０００４】
また、従来のモルティスロックは、設置してから数ヶ月が過ぎれば、ドアの垂れ現象などにより歪みが発生するため、ロック機能を效果的に行わない可能性もある。そして、デッドボルト及びラッチボルトは、通常、若干の段差を有している。したがって、ユーザがハンドルを回転させた後、ロック可否を確認するために、ドアを引っ張ると、ドアが段差だけ押し出され、デッドボルトの損傷を引き起こし、動作異常や破損などの問題点が発生し得る。
【特許文献１】米国特許第６，３９３，８７８号明細書
【特許文献２】国際公開第０１／４２６００号パンフレット
【発明の開示】
【発明が解決しようとする課題】
【０００５】
本発明は、前述したような問題点を解決するためになされたもので、本発明の目的は、デッドボルトをロックすれば、ラッチボルトもロックされるようにした二重ロック機能を有するモルティスロックを提供することにある。
【０００６】
本発明の他の目的は、ラッチボルトが正常に動作した状態でデッドボルトが動作するようにした二重ロック機能を有するモルティスロックを提供することにある。
【課題を解決するための手段】
【０００７】
前記目的を達成するために、本発明の一態様に係るモルティスロックは、ドアから出入りし、ロック機能を行うデッドボルトと、前記ドアに設けられたハンドルによって前記ドアから出入りするラッチボルトと、前記デッドボルトが突出すれば、前記ラッチボルトを突出状態に維持させ、前記ラッチボルトをロック状態に維持させるロック部材とを備えることを特徴とする。
【０００８】
また、好ましくは、前記ロック部材は、前記デッドボルトが突出すれば、前記デッドボルトによって回転し、前記ラッチボルトの後方に係止するロック回転子を備える。
【０００９】
また、好ましくは、前記ドアには、内部に前記ロック回転子が位置するケースを備え、前記ラッチボルトは、前記ケースの外部に露出する露出部と、前記ケースの内部に位置し、前記露出部と一体に形成されるスライディング部とを備える。
【００１０】
また、好ましくは、前記ケースの内部には、前記スライディング部の移動を支持し、前記ハンドルによって前・後進するラッチスライドと、前記ラッチスライドに回転自在に設けられ、前記デッドボルトが前記ケース内部に挿入された状態なら、記ラッチボルトに係止する係止具とを備える。
【００１１】
また、好ましくは、前記係止具の一側には、前記ロック回転子がロック方向に回転すれば、前記係止具を動作させて、前記係止具が前記ラッチボルトの前記スライディング部から係止状態が解除されるようにする突出突起が設けられる。
【００１２】
また、好ましくは、前記係止具は、前記ラッチスライドにバネによって前記ラッチボルトの前記スライディング部内側に弾性支持される。
【００１３】
また、好ましくは、前記ロック回転子は、前記デッドボルトと接触し、中間部分が前記ケースに軸支され、一端に突出形成され、前記ラッチボルトの前記スライディング部に出入りするロック突起を備える。
【００１４】
また、好ましくは、前記デッドボルトの一側には、前記ロック回転子と接触する接触部が突出形成される。
【００１５】
また、好ましくは、前記スライディング部には、一端が前記スライディング部に支持され、他端が前記ケースに設けられた支持台に支持されたバネが設けられる。
【００１６】
また、本発明の他の態様に係るモルティスロックは、ドアの内部に位置するケースと、前記ドアから出入りし、ロック機能を行うデッドボルトと、前記ドアに設けられたハンドルによって前記ドアから出入りする露出部と、前記ケースの内部に位置し、前記露出部と一体に形成されたスライディング部とを含むラッチボルトと、前記ケースの内部に前記デッドボルトによって回転自在に設けられ、前記デッドボルトが突出すれば、前記ラッチボルトを突出状態に維持させて、前記ラッチボルトをロック状態に維持させるように、前記ラッチボルトの前記スライディング部に係止するロック回転子とを備える。
【００１７】
また、好ましくは、前記ケースの内部には、前記スライディング部の移動を支持し、前記ハンドルによって前・後進するラッチスライドと、前記ラッチスライドに回転自在に設けられ、前記デッドボルトが前記ケースの内部に挿入された状態なら、前記ラッチボルトの前記スライディング部に係止する係止具とを備える。
【００１８】
また、好ましくは、前記係止具の一側には、前記ロック回転子がロック方向に回転すれば、前記係止具を動作させて、前記係止具が前記ラッチボルトの前記スライディング部から係止状態が解除されるようにする突出突起が設けられ、前記係止具は、前記ラッチスライドにバネによって前記ラッチボルトの前記スライディング部内側に弾性支持される。
【００１９】
また、好ましくは、前記ロック回転子は、前記デッドボルトの一側に突出形成された接触部と接触し、中間部分が前記ケースに軸支され、一端に突出形成され、前記ラッチボルトの前記スライディング部に出入りするロック突起を備える。
【００２０】
また、好ましくは、前記スライディング部には、一端が前記スライディング部に支持され、他端が前記ケースに設けられた支持台に支持されたバネが設けられる。
【００２１】
また、本発明のさらに他の態様に係るモルティスロックは、ドアの内部に位置するケースと、前記ドアから出入りし、ロック機能を行うデッドボルトと、前記ドアに設けられたハンドルによって前記ドアから出入りする露出部と、前記ケースの内部に位置し、前記露出部と一体に形成されたスライディング部とを含むラッチボルトと、前記ケースの内部に回転自在に設けられ、前記デッドボルトが突出すれば、前記ラッチボルトを突出状態に維持させて、前記ラッチボルトをロック状態に維持させるように、前記デッドボルトによって回転し、前記ラッチボルトの前記スライディング部に係止するロック回転子と、前記ケースの内部に設けられ、前記スライディング部の移動を支持し、前記ハンドルによって前・後進するラッチスライドと、前記ラッチスライドに回転自在に設けられ、前記デッドボルトが前記ケースの内部に挿入された状態なら、前記ラッチボルトに係止する係止具とを備えることを特徴とする。
【００２２】
また、好ましくは、前記係止具の一側には、前記ロック回転子がロック方向に回転すれば、前記係止具を動作させて、前記係止具が前記ラッチボルトの前記スライディング部から係止状態が解除されるようにする突出突起が設けられる。
【００２３】
また、好ましくは、前記係止具は、前記ラッチスライドにバネによって前記ラッチボルトの前記スライディング部内側に弾性支持される。
【００２４】
また、好ましくは、前記ロック回転子は、前記デッドボルトに形成された接触部と接触し、中間部分が前記ケースに軸支され、一端に突出形成され、前記スライディング部に出入りするロック突起を備える。
【００２５】
また、好ましくは、前記スライディング部には、一端が前記スライディング部に支持され、他端が前記ケースに設けられた支持台に支持されたバネが設けられる。
【発明の効果】
【００２６】
本発明によるモルティスロックは、デッドボルトによってドアが閉まった状態で強制的にドアを開くためには、デッドボルトだけでなく、ラッチボルトをも破損させて、強制的にドアを開くことができるので、保安性が向上するという効果がある。また、ドアの強制操作によるデッドボルトの破損や誤動作及び動作不良を低減することができるという効果がある。また、ラッチボルトの正常動作可否に応じてデッドボルトの動作を制御するようにして、デッドボルトの誤動作を防止することができるという効果がある。
【発明を実施するための最良の形態】
【００２７】
以下、添付の図面を参照して本発明の好適な実施例に係るモルティスロックを説明する。なお、本明細書において、ドア及びハンドルは、図面に図示しない状態で説明する。ドア及びハンドルは、当業者なら以下の説明で十分に容易にその構成を理解することができるだろう。
【００２８】
本発明の実施例に係るモルティスロックは、図１及び図２に示されるように、ドアの内部に設けられるケース１００を備える。また、ケース１００の内部には、ケース１００の外側に出入りする自在に構成されたデッドボルト１１０が設けられる。
【００２９】
デッドボルト１１０は、ケース１００の側面に形成された第１の出入孔１０１を介して出入りする露出部１１１と、この露出部１１１と一体に形成され、ケース１００の内部に位置するスライディング部１１２とを含む。スライディング部１１２には、半円形態の操作溝１１３が形成される。
【００３０】
また、操作溝１１３には、モータのような動力装置、又はユーザによって回転自在にケース１００の内部に設けられた回転レバー１２０の終端が位置する。したがって回転レバー１２０の回転方向に応じて、デッドボルト１１０の露出部１１１は、ケース１００の内部に入ったり、またはケース１００の外部に出る。またデッドボルト１１０の下部には、露出部１１１の側傍部の下部に延びた接触部１１４が形成される。
【００３１】
デッドボルト１１０の下部には、ラッチボルト１３０が設けられる。ラッチボルト１３０は、第１出入孔１０１の下部に形成された第２出入孔１０２を介して出入りする露出部１３１と、この露出部１３１と一体に形成され、ケース１００の内部に位置するスライディング部１３２とを備える。
【００３２】
このラッチボルト１３０のスライディング部１３２の内部には、一端がスライディング部１３２の左側内壁に支持され、他端がケース１００の内部に固定されスライディング部１３２の内部に延びた支持壁１４０に支持されたバネ１３３を備える。スライディング部１３２の下面には、支持壁１４０の前後方向への位置移動が可能なように、スライディング溝１３５が形成される。また、スライディング部１３２の上部面は、左右方向に長い係止鍔１３４が形成されている。
【００３３】
一方、ラッチボルト１３０のスライディング部１３２は、ケース１００の内部に設けられたラッチスライド１５０に支持されている。このラッチスライド１５０も、ケース１００の内部にスライディング自在に設けられている。また、ラッチスライド１５０は、上端及び下端に各々スライディング鍔１５１及び１５１’が形成され、右側端の外側には、駆動軸１５２が突出形成されている。また、駆動軸１５２上部のスライディング鍔１５１には、支持孔１５３が形成されている。
【００３４】
また、ラッチボルト１３０のスライディング部１３２の下部には、ラッチスライド１５０に形成された案内溝１５４に沿ってスライディング部１３２と共に移動する押圧片１３６が形成される。押圧片１３６の下部には、押圧片１３６によってラッチボルト１３０の動作状態を感知するマイクロスイッチ２００が設けられる。
【００３５】
ラッチボルト１３０の後方には、ハンドルによってラッチボルト１３０が前・後進するように、回転ユニット（rotator）１６０が設けられている。回転ユニット１６０の左側端には、駆動軸１５２が貫通して支持され且つ駆動軸１５２がスライディング動作する長孔１６１が形成されている。
【００３６】
また、回転ユニット１６０の中間部は、ケース１００の内部に軸支され、この軸支部には、トーションバネ１６２が設けられている。トーションバネ１６２は、一端がケース１００の下部内壁に支持され、他端が回転ユニット１６０の右側端を上向き弾性支持する。
【００３７】
回転ユニット１６０の右側端には、回転ユニット１６０を回転させたり、または回転ユニット１６０によって上向き復元する動力伝達部材１７０が設けられる。動力伝達部材１７０は、ケース１００の内部に位置し、図示しないハンドルによって左右方向に回転する扇形状の回転カム１７１の両側端に支持されている。
【００３８】
一方、ラッチスライド１５０の支持孔１５３には、一端が支持孔１５３に軸支され、他端が下向き突出し、ラッチボルト１３０のスライディング部１３２に形成された係止鍔１３４に係止する係止突起１８１が形成された係止具１８０が設けられる。係止具１８０の軸支部には、係止具１８０を下向き弾性支持するトーションバネ１８３が設けられている。
【００３９】
また、係止具１８０の左側面には、側傍に突出した突出突起１８２が形成されている。また、この突出突起１８２の下部には、突出突起１８２に接触する場合、デッドボルト１１０の接触部１１４によって回転動作するロック部材が設けられる。
【００４０】
ロック部材は、ケース１００に軸支され、左側端には、下向き突出したロック突起１９１が形成されたロック回転子１９０が設けられる。また、ロック突起１９１の上端には、デッドボルト１１０の接触部１１４と接触する接触片１９２が形成されている。また、ロック回転子１９０の右側端は、突出突起１８２がスライディング案内されるように、安内面１９３が形成されている。
【００４１】
以下、前述したように構成された本発明の実施例に係るモルティスロックの動作状態について説明する。
【００４２】
図１は、二重ロックがなされた状態であり、図３は、図１の状態でハンドルが操作された場合を示している。
【００４３】
図示のように、回転レバー１２０が左側に回転すれば、デッドボルト１１０は、第１出入孔１０１の外側に突出する。また、デッドボルト１１０の露出部１１１が突出された状態が最も基本的なロック状態となる。
【００４４】
このような状態は、デッドボルト１１０が左側に移動することに伴ってデッドボルト１１０の接触部１１４がロック回転子１９０の接触片１９２を押す。すると、ロック回転子１９０は、下向き回動し、これにより、ロック突起１９１が下向し、ラッチボルト１３０のスライディング部１３２の左側端を支えて支持する。すなわち、ラッチボルト１３０が右側に後進しないように支持する。
【００４５】
また、この時、ロック回転子１９０の安内面１９３は上昇し、係止具１８０の突出突起１８２を上側に引き上げる。したがって、係止具１８０の係止突起１８１は、ラッチボルト１３０のスライディング部１３２の上部に支持されていない状態となる。
【００４６】
この時、図３に示されるように、ユーザがハンドルを操作すれば、回転カム１７１は、ハンドルの操作方向に回転し、回転カム１７１がどの方向に回転するかに関わらず、動力伝達部材１７０は下降する。また、動力伝達部材１７０が下降すれば、回転ユニット１６０が回転する。回転ユニット１６０は、右側方向に回転するが、これにより、ラッチスライド１５０は、回転ユニット１６０によって右側方向に引き寄せられ、右側方向にスライディング動作する。
【００４７】
この時、係止具１８０は、ロック回転子１９０の安内面１９３に沿って上昇した状態である。したがって、ラッチスライド１５０が右側方向に動作する場合、ラッチボルト１３０は、ラッチスライド１５０と共に動作せずに、停止状態を維持する。したがって、ハンドルを操作させても、ラッチボルト１３０の露出部１３１は、第２出入孔１０２に進入することなく、突出状態がそのまま維持される。すなわち、ロック状態が維持される。
【００４８】
一方、図４は、デッドボルト１１０によるロック状態を解除した状態を示す図である。同図に示されるように、モータのような動力装置を用いて回転レバー１２０を右側方向に回転させれば、回転レバー１２０の端部は、デッドボルト１１０の操作溝１１３の内部で右側方向に回転し、これにより、デッドボルト１１０の露出部１１１は、ケース１００の内部に挿入される。したがって、デッドボルト１１０のロックは、解除される。
【００４９】
この時、デッドボルト１１０が右側に動作することに伴って、デッドボルト１１０の接触部１１４も右側に移動する。すると、ロック回転子１９０の接触片１９２には、何らの外力が加えられないため、係止具１８０の突出突起１８２によって時計方向に回転する。この時の回転力は、係止具１８０を弾性支持しているトーションバネ１８３によって達成される。また、同時に、係止具１８０は、反時計方向に回転し、これにより、係止具１８０の係止突起１８１は、ラッチボルト１３０のスライディング部１３２に形成された係止鍔１３４に挿入され係止される。
【００５０】
このような状態で、図５に示されるようにハンドルを回転させれば、回転カム１７１は、ハンドルの操作方向に回転し、回転カム１７１がどの方向に回転するかに関わらず、動力伝達部材１７０は、下降する。また、動力伝達部材１７０が下降すれば、回転ユニット１６０が回転する。回転ユニット１６０は、右側方向に回転するが、これにより、ラッチスライド１５０の駆動軸１５２が長孔１６１に沿って移動し、回転ユニット１６０によって右側方向に引き寄せられ、右側方向にスライディング動作する。
【００５１】
この時、係止具１８０は、ラッチボルト１３０のスライディング部１３２に係止された状態である。したがって、ラッチスライド１５０が右側方向に動作する場合、ラッチボルト１３０は、ラッチスライド１５０と共に右側方向に動作する。すなわち、ラッチボルト１３０は、ケース１００の第２出入孔１０２を介してケース１００の内部に挿入される。したがって、ハンドルを操作させると、ラッチボルト１３０も動作する。すなわち、開状態となる。また、ハンドルを放すと、回転ユニット１６０を弾性支持しているトーションバネ１６２によって全てのものが最初の状態に復元する。
【００５２】
また、図６に示されるように、ハンドルを回転させることなく、外力をラッチボルト１３０の露出部１３１に加える場合には、ラッチスライド１５０は動作せずに、ラッチボルト１３０だけが動作する。すなわち、ラッチボルト１３０は、スライディング部１３２が挿入されながら、スライディング部１３２を支持しているバネ１３３を加圧する。バネ１３３は、支持壁１４０によって支持された状態である。これにより、バネ１３３は、収縮される。したがって、ラッチボルト１３０の露出部１３１に加えられた外力を除去すれば、ラッチボルト１３０は、バネ１３３の復元力によって最初の状態に復元する。
【００５３】
このように本発明によるモルティスロックは、デッドボルト１１０がロック状態である時は、ラッチボルト１３０がデッドボルト１１０と共に二重ロック機能をし、デッドボルト１１０が開状態である時は、ラッチボルト１３０が通常のハンドル操作により動作する。
【００５４】
一方、デッドボルト１１０は、ラッチボルト１３０が正常に突出した状態だけで動作するように制御できる。すなわち、デッドボルト１１０がモータなどの動力装置及びこれを制御する制御部によって動作が制御される場合、ラッチボルト１３０の下部に位置するマイクロスイッチ２００をラッチボルト１３０の押圧片１３６により動作させることによって、ラッチボルト１３０の動作状態を感知できる。このような動作状態は、図１及び図５を参照して理解することができる。したがって、ラッチボルト１３０が正常に動作した状態だけで、デッドボルト１１０を動作するようにして、デッドボルト１１０の誤動作を防止できる。 
【００５５】
以上において本発明の好適な実施例を開示した。しかしながら、本発明の構成要素及び構成要素の形状や位置は、様々な置換、変形及び変更が可能である。また、本発明は、自動及び手動でデッドボルトを動作させる他のモルティスロックにも適用可能である。従って、本発明は、上述した実施例及び添付された図面に限定されるものではない。
【図面の簡単な説明】
【００５６】
【図１】本発明の実施例に係るモルティスロックにおいて二重ロックがなされた状態を示す側断面図である。
【図２】本発明の実施例に係る二重ロック機能を有するモルティスロックにおいてデッドボルトとラッチボルトの組立状態を示す分解斜視図である。
【図３】本発明の実施例に係るモルティスロックにおいて二重ロックがなされた状態でハンドルが操作された状態を示す側断面図である。
【図４】本発明の実施例に係るモルティスロックにおいてロック状態が解除された状態を示す側断面図である。
【図５】本発明の実施例に係るモルティスロックにおいてロック状態が解除され、ハンドルが操作された状態を示す側断面図である。
【図６】本発明の実施例に係るモルティスロックにおいてロック状態が解除され、外力によってラッチボルトが動作する状態を示す側断面図である。
【符号の説明】
【００５７】
１００  ケース
１１０  デッドボルト
１１１  露出部
１１２  スライディング部
１３０  ラッチボルト
１３１  露出部
１３２  スライディング部
１３３  バネ
１３４  係止鍔
１３５  スライディング溝
１３６  押圧片
１５０  ラットスライディング
１５１、１５１’  スライディング鍔
１５２  駆動軸
１５３  支持孔
１５４  案内溝
１８０  係止具
１８１  係止突起
１８２  突出突起
１８３  トーションバネ
１９０  ロック回転子
１９１  ロック突起
１９２  接触片
１９３  案内面
【図１】
2006336454.tif 000003
【図２】
2006336454.tif 000004
【図３】
2006336454.tif 000005
【図４】
2006336454.tif 000006
【図５】
2006336454.tif 000007
【図６】
2006336454.tif 000008